(57)【要約】【課題】  本発明は、デジタルマルチメディア放送システムで広域放送と地域放送とを同時にサービスする装置及び方法と、その放送受信端末機に関する。【解決手段】  前記装置はプログラム連合テーブルとプログラムマップテーブルとを送信ストリームパケット形態で送るための手段を具備し、前記プログラム連合テーブルには少なくとも一つ以上の広域放送プログラムと少なくとも一つ以上の地域放送プログラムにそれぞれ対応するプログラムマップテーブルのパケット識別子が含まれて、前記プログラムマップテーブルには該当する地域放送プログラムに対する詳細情報が含まれることを特徴とする。【選択図】  図１Ａ
2005102174.tif 000002
【特許請求の範囲】
【請求項１】
デジタルマルチメディア放送システムで広域放送と地域放送とを同時にサービスする装置において、
プログラム連合テーブルとプログラムマップテーブルとを送信ストリームパケット形態で送るための手段を具備し、
前記プログラム連合テーブルには少なくとも一つ以上の広域放送プログラムと少なくとも一つ以上の地域放送プログラムにそれぞれ対応するプログラムマップテーブルのパケット識別子が含まれて、
前記プログラムマップテーブルには該当する地域放送プログラムに対する詳細情報が含まれることを特徴とする装置。
【請求項２】
前記送信ストリームパケットはパケットヘッダーとペイロードで構成され、前記パケット識別子は前記パケットヘッダーに含まれて、該当するパケットのデータが生成された放送局、プログラム種類(映像、音声、あるいは文字データ)を示す請求項１記載の装置。
【請求項３】
前記アダプテーションフィールドとペイロードとはいずれか一つのみ存在するか、両方すべて存在して、その有無は前記パケットヘッダー内にさらに含まれたフラグによって示される請求項２記載の装置。
【請求項４】
前記地域放送プログラムは特定地域と対応されるようにあらかじめ設定されている請求項１記載の装置。
【請求項５】
前記プログラム連合テーブルは共通チャンネルを通じて送信され、プログラムマップテーブルは放送データチャンネルを通じて送信される請求項１記載の装置。
【請求項６】
前記プログラム連合テーブルとプログラムマップテーブルが放送データチャンネルを通じて送信される請求項１記載の装置。
【請求項７】
デジタルマルチメディア放送システムで広域放送と地域放送とを同時にサービスする装置において、
プログラム連合テーブルとプログラムマップテーブルとを送信ストリームパケットの形態で送るための手段を具備し、
前記プログラム連合テーブルには少なくとも一つ以上の広域放送プログラムと、一つの地域放送プログラムにそれぞれ対応するプログラムマップテーブルのパケット識別子が含まれて、
前記プログラムマップテーブルには特定地域放送プログラムに対する詳細情報と地域識別コードが含まれることを特徴とする装置。
【請求項８】
前記送信ストリームパケットはパケットヘッダー、そして可変長のアダプテーションフィールド、あるいはペイロードを含む請求項７記載の装置。
【請求項９】
前記パケットヘッダーはパケット識別子を含んで、前記パケット識別子は該当するパケットのデータが生成された放送局、プログラム種類(映像、音声、あるいは文字データ)を示すための請求項８記載の装置。
【請求項１０】
前記プログラムマップテーブルのアダプテーションフィールドには地域放送プログラムの地域識別コードが記録される請求項８記載の装置。
【請求項１１】
前記アダプテーションフィールド、あるいはペイロードの存在可否は前記パケットヘッダー内にさらに含まれたフラグによって示される請求項８記載の装置。
【請求項１２】
前記プログラム連合テーブルは共通チャンネルを通じて送信され、前記プログラムマップテーブルは放送データチャンネルを通じて送信される請求項１または７記載の装置。
【請求項１３】
前記プログラム連合テーブルとプログラムマップテーブルとは、放送データチャンネルを通じて送信される請求項１または７記載の装置。
【請求項１４】
広域放送、あるいは地域放送を受信して表示する表示部を具備したデジタルマルチメディア放送受信機において、
地域放送受信モードに設定されると、地域放送を受信した後、現在に広域放送を視聴中であるか否かによって視聴中であると、地域放送プログラムの表示形態を変えて表示するように前記表示部を制御する制御部をさらに具備することを特徴とする受信機。
【請求項１５】
前記制御部がモードを検査して地域放送受信モードに設定されていればプログラム連合テーブルを検査し、現在に地域放送サービス中であるか否かを判断して、前記表示部にとって現在にサービス中である地域放送を表示するように制御した後、使用者による特定地域放送の選択が感知されると、その選択された地域放送を受信するように制御する請求項１４記載の受信機。
【請求項１６】
前記プログラム連合テーブルには少なくとも一つ以上の広域放送プログラムと少なくとも一つ以上の地域放送プログラムにそれぞれ対応するプログラムマップテーブルのパケット識別子が含まれて、
前記プログラムマップテーブルには特定地域放送プログラムに対する詳細情報が含まれる請求項１５記載の受信機。
【請求項１７】
前記制御部は前記プログラム連合テーブルから使用者が視聴を要求するプログラムのプログラムマップテーブルと映像、音声あるいは文字データのパケット識別子を検出し、
前記制御部から伝達するパケット識別子を利用して、前記プログラムマップテーブルと映像、音声あるいは文字データを抽出して前記制御部に伝達する逆多重化部をさらに具備する請求項１６記載の受信機。
【請求項１８】
前記制御部が、前記地域放送プログラムの表示形態を決めるために前記地域放送プログラムデータの種類を検査して前記地域放送プログラムデータが第１の種類であり、広域放送の第１の種類データが存在しないか、存在はするが前記地域放送プログラムの他の種類データ（ら）が現在に表示されていない場合のみに地域放送プログラムの前記第１の種類データを表示するように制御する請求項１４記載の受信機。
【請求項１９】
前記第１の種類は文字であり、他の種類は映像あるいは音声である請求項１８記載の受信機。
【請求項２０】
広域放送、あるいは地域放送を受信するデジタルマルチメディア放送受信機において、
広域放送、あるいは地域放送を表示する表示部と、
地域識別コードを保存するメモリーと、
モードを検査して地域放送受信モードに設定されていればプログラム構成情報から地域放送プログラムに対する詳細情報と地域識別コードとを検出して、前記メモリーに保存された地域識別コードと、前記検出した地域識別コードとを比較して一致する場合に地域放送を受信して表示するように制御する制御部と、を含むことを特徴とする受信機。
【請求項２１】
前記地域識別コードは使用者によって入力されるか、受信機の位置によって自動で設定されることができる請求項２０記載の受信機。
【請求項２２】
前記プログラムの構成情報はプログラム連合テーブルとプログラムマップテーブルとに含まれて、
前記プログラム連合テーブルには少なくとも一つ以上の広域放送プログラムと一つの地域放送プログラムとにそれぞれ対応するプログラムマップテーブルのパケット識別子が含まれる請求項２０記載の受信機。
【請求項２３】
前記プログラム連合テーブルから使用者が視聴を要求するプログラムのプログラムマップテーブルを抽出して前記制御部に伝達する逆多重化部をさらに具備し、
前記制御部は前記プログラムマップテーブルから使用者が視聴を要求するプログラムの映像、音声あるいは文字データのパケット識別子を検出して前記逆多重化部に伝達する請求項２２記載の受信機。
【請求項２４】
デジタルマルチメディア放送受信機が地域放送を受信する方法において、
地域放送受信モードに設定されたか否かを検査する第１の過程と、
地域放送受信モードに設定されていれば、プログラム連合テーブル（PＡＴ)を検査して、現在に地域放送サービス中であるか否かを判断する第２の過程と、
現在にサービス中である地域放送が存在する場合にはその地域放送に関する情報を表示した後、使用者による特定地域放送の選択を待機する第３の過程と、
特定地域放送の選択が感知されると選択された地域放送を受信してその地域放送プログラムを表示する第４の過程と、を含むことを特徴とする方法。
【請求項２５】
前記地域放送受信後、広域放送視聴中でなければ、地域放送プログラムをそのまま表示する過程をさらに含む請求項２４記載の方法。
【請求項２６】
広域放送視聴中であれば、地域/広域放送プログラムの種類を検査して地域放送表示形態を決めて地域放送を表示する過程をさらに含む請求項２４記載の方法。
【請求項２７】
前記第３の過程で地域放送に関する情報の表示は、地域放送プログラムの名称を表示する請求項２４記載の方法。
【請求項２８】
前記第３の過程で地域放送に関する情報の表示は、該当する地域を表示する請求項２４記載の方法。
【請求項２９】
前記地域放送は特定地域と対応されるようにあらかじめ設定されている請求項２４記載の方法。
【請求項３０】
現在サービス中である地域放送に対応される特定位置と前記受信機に設定された位置を比較して、一致する地域放送に関する情報を表示する過程をさらに含む請求項２９記載の方法。
【請求項３１】
デジタルマルチメディア放送受信機が地域放送を受信する方法において、
広域放送受信中で地域放送受信モードに設定されるか否かを検査する第１の過程と、
地域放送受信モードの設定が感知されると受信される送信ストリームからプログラム連合テーブルに該当するパケットを検査し、現在に地域放送サービス中であるか否かを判断する第２の過程と、
現在にサービス中である地域放送が存在する場合、前記プログラム連合テーブルから地域放送プログラムマップテーブルを獲得して地域識別コードが一致するか否かをチェックする第３の過程と、
前記地域識別コードが一致すると、地域放送信号をデコーディングして地域放送を表示する第４の過程と、を含むことを特徴とする方法。
【請求項３２】
前記地域識別コードが一致しなければ、該当する地域放送ないことを表示する第５の過程をさらに含む請求項３１記載の方法。
【請求項３３】
前記地域識別コードは、前記パケットにある可変長のアダプテーションフィールドに記録された請求項３１または３２記載の方法。
【請求項３４】
デジタルマルチメディア放送受信機が地域放送を受信して表示する方法において、
受信された地域放送プログラムデータの種類を検査する第１の過程と、
前記検査で確認された地域放送プログラムデータの種類と同一な種類の広域放送プログラムデータが存在するか否かをチェックする第２の過程と、
前記同一な種類の広域放送プログラムデータが存在しなければ、前記種類の地域放送プログラムデータを表示する第３の過程と、を含むことを特徴とする方法。
【請求項３５】
前記地域放送プログラムデータの種類が映像である請求項３５記載の方法。
【請求項３６】
前記地域放送プログラムデータの種類が音声である請求項３４記載の方法。
【請求項３７】
前記地域放送プログラムデータの種類が文字である請求項３４記載の方法。
【請求項３８】
前記地域放送プログラムデータの種類が第１の種類であり、前記広域放送の第１の種類データが存在すると、前記地域放送プログラム第１の種類データが現在表示されているのかチェックする過程をさらに含んで、前記チェック結果第１の種類データが現在に表示されていれば地域放送の第１の種類データを表示しない請求項３４記載の方法。
【請求項３９】
前記地域放送プログラムデータの種類が第１の種類であり、前記広域放送の第１の種類データが存在しないか、存在はするが前記地域放送の第１の種類データが現在に表示されていなければ、地域放送の第１の種類データを表示する請求項３４記載の方法。
【請求項４０】
前記第１の種類は文字である請求項３８または３９記載の方法。
【請求項４１】
デジタルマルチメディア放送受信機が地域放送を受信する方法において、
地域放送受信モードに設定されたか否かを検査する第１の過程と、
地域放送受信モードに設定されていればプログラム構成情報を検査して、現在に地域放送サービス中であるか否かを判断する第２の過程と、
現在にサービス中である地域放送が存在する場合にはその地域放送に関する情報を表示した後、使用者による特定地域放送の選択を待機する第３の過程と、
特定地域放送の選択が感知されると選択された地域放送を受信し、その地域放送プログラムを表示する第４の過程と、を含むことを特徴とする方法。
【請求項４２】
前記プログラム構成情報はプログラム連合テーブルに含まれる請求項４１記載の方法。
【請求項４３】
前記地域放送は特定地域と対応されるようにあらかじめ設定されている請求項４２記載の方法。
【請求項４４】
現在にサービス中である地域放送に対応される特定位置と前記受信機に設定された位置を比較して、一致する地域放送に関する情報を表示する過程をさらに含む請求項４３記載の方法。
【請求項４５】
前記プログラムの構成情報はプログラム連合テーブルとプログラムマップテーブルに含まれる請求項４１記載の方法。
【請求項４６】
現在サービス中である地域放送が存在する場合に、前記プログラム連合テーブルから前記地域放送に対するプログラムマップテーブルを獲得して地域識別コードが一致するか否かをチェックする過程をさらに含む請求項４１記載の方法。
【発明の詳細な説明】
【技術分野】
【０００１】
本発明は、デジタルマルチメディア放送システムにおいて、時間ごとに変化する各種地域情報を特定地域に位置した受信機らに、リアルタイムで提供するための装置及び方法と受信機に関する。
【背景技術】
【０００２】
近来に音声(audio)、映像(video)などのデータ圧縮技術と通信技術との発達によって、高品質の音声及び映像サービスをいつでも、どこでも提供することができるデジタルマルチメディア放送(Digital Multimedia Broadcasting:ＤＭＢ)が実現可能になった。デジタルマルチメディア放送は、デジタルオーディオ放送(Digital Audio Broadcasting:ＤＡＢ)、デジタルラジオ放送(Digital Radio Broadcasting:ＤＲＳ)または、デジタルオーディオラジオシステム(Digital Audio Radio System)などとも呼ばれるが、本明細書ではデジタルマルチメディア放送として総称することにする。前記デジタルマルチメディア放送システムでは音楽、文字(text)及び動画など多様なコンテンツで構成される放送情報の移動受信、固定受信及び携帯受信がすべて可能である。
【０００３】
放送情報は地理的に見る時、広範囲な地域にわたって分散している多くの受信機らに送信されることにより放送される。ところで、デジタルマルチメディア放送システムでは、特定地域に対する地域情報を特定受信機らのみに送るのが望ましい場合がある。例えば、地域ニュースや天気、あるいは交通情報のような情報は特定地域にある受信機ら(実際には、受信機を携帯した加入者(使用者)を意味する)には有用な情報になることができるが、他の地域にある受信機らには不必要な情報になる。だから、特定地域情報をその地域情報を必要とする受信機らのみに送信されることができるように放送する地域情報サービスが要求される。
【０００４】
従来の地域情報サービス方法としては、広域放送チャンネルとは別個で多数の専用地域放送チャンネルらを置いて、専用地域放送チャンネルらを使用して各地域の情報を送る方法がある。使用者は受信機で前記地域放送チャンネル、または広域放送チャンネルの中で一つを選択して所望の情報を受信するようになる。しかし、地域放送チャンネルを専用で使用することは帯域幅を浪費するようになるだけでなく、使用者が異なる地域に対する地域放送チャンネルを選択する場合に混乱を引き起こすことができる。すなわち、交通情報を例にすると、受信機を携帯した使用者が、自分が現在“（韓国の）水原市”にあるにもかかわらず、誤って“（韓国の他の都市である）慶州市”の地域放送チャンネルを選択した場合に、加入者が提供されるようになる韓国の慶州地域の交通情報は不必要なものであるだけでなく、使用者が自分の誤りを把握するまでは混乱な感じから脱することができないと思われる。
【０００５】
このような問題点を克服するために、２０００年６月２６日付けで公開された特許文献１は、多数の地域情報を各地域の識別コードとともに一つ、またはいくつの放送チャンネルに送るシステムを提示している。ここで、地域識別コードは各地域情報データパケットのヘッダー内に含まれる。このような方式で受信機らは、受信された信号をモニターして、受信されたデータパケットのヘッダーが受信機にあらかじめ保存された地域識別コードを含む場合に該当する地域情報を再生する。受信機は一致する地域放送が受信されると、広域放送情報を受信する正常モードから地域情報受信モードに切り替える。
【０００６】
しかし、前記のような従来の技術は、地域放送を受信する場合に広域放送を受信することができなくなっていて、使用者が続いて広域放送を視聴したくてもこれを邪魔する問題点がある。また、従来の技術は受信機が一致するすべての地域放送の、データパケットのヘッダー部を検査しなければならないので、演算量が増加する問題点を有していた。
【特許文献１】大韓民国特許公開第２０００-３５１５２号
【発明の開示】
【発明が解決しようとする課題】
【０００７】
上記背景に鑑みて、本発明の目的は、使用者が広域放送をずっと視聴しながら特定地域の地域情報を受信することができる、デジタルマルチメディア放送受信機及びその放送システムを提供することにある。
【０００８】
本発明の他の目的は、時々刻々に変わるデジタルマルチメディア放送受信機の位置情報を参照して、該当する地域に特化された情報を放送するように制御する方法を提供することにある。
【０００９】
本発明のまた他の目的は、広域放送プログラムの視聴可否と広域放送プログラムの種類によって地域放送プログラムの表示形態を異なるように具現することができるデジタルマルチメディア放送受信機を提供することにある。
【課題を解決するための手段】
【００１０】
前記した目的を達成するための第１の発明は、デジタルマルチメディア放送システムで広域放送と地域放送とを同時にサービスする装置において、プログラム連合テーブルとプログラムマップテーブルとを送信ストリームパケットの形態で送るための手段を具備し、前記プログラム連合テーブルには少なくとも一つ以上の広域放送プログラムと、少なくとも一つ以上の地域放送プログラムにそれぞれ対応するプログラムマップテーブルのパケット識別子が含まれて、前記プログラムマップテーブルには該当する地域放送プログラムに対する詳細情報が含まれることを特徴とする。
【００１１】
前記した目的を達成するための第２の発明は、デジタルマルチメディア放送システムで広域放送と地域放送とを同時にサービスする装置において、プログラム連合テーブルとプログラムマップテーブルを送信ストリームパケット形態で送るための手段を具備し、前記プログラム連合テーブルには少なくとも一つ以上の広域放送プログラムと、一つの地域放送プログラムにそれぞれ対応するプログラムマップテーブルのパケット識別子が含まれて、前記プログラムマップテーブルには特定地域放送プログラムに対する詳細情報と地域識別コードとが含まれることを特徴とする。
【００１２】
前記した目的を達成するための第３の発明は、広域放送あるいは地域放送を受信して表示する表示部を具備したデジタルマルチメディア放送受信機において、地域放送受信モードに設定されると地域放送を受信した後、現在に広域放送を視聴中であるか否かによって視聴中であれば、地域放送プログラムの表示形態を変えて表示するように前記表示部を制御する制御部をさらに具備することを特徴とする。
【００１３】
前記した目的を達成するための第４の発明は、デジタルマルチメディア放送受信機が地域放送を受信する方法において、地域放送受信モードに設定されたか否かを検査する第１の過程と、地域放送受信モードに設定されていればプログラム連合テーブル（PＡＴ)を検査して現在に地域放送サービス中であるか否かを判断する第２の過程と、現在サービス中である地域放送が存在する場合には、その地域放送に関する情報を表示した後、使用者による特定地域放送の選択を待機する第３の過程と、特定地域放送の選択が感知されると選択された地域放送を受信する第４の過程と、を含むことを特徴とする。
【００１４】
前記した目的を達成するための第５の発明は、デジタルマルチメディア放送受信機が地域放送を受信する方法において、広域放送受信中に地域放送受信モードに設定されるか否かを検査する第１の過程と、地域放送受信モードの設定が感知されると受信される送信ストリームからプログラム連合テーブルに該当するパケットを検査し、現在に地域放送サービス中であるか否かを判断する第２の過程と、現在にサービス中である地域放送が存在する場合に前記プログラム連合テーブルから地域放送プログラムマップテーブルを獲得して、地域識別コードが一致するか否かをチェックする第３の過程と、前記地域識別コードが一致すると、地域放送信号をデコーディングして地域放送を表示する第４の過程と、を含むことを特徴とする。
【００１５】
前記した目的を達成するための第６の発明は、デジタルマルチメディア放送受信機が地域放送を受信して表示する方法において、受信された地域放送プログラムデータの種類を検査する第１の過程と、前記検査で確認された地域放送プログラムデータの種類と同一な種類の広域放送プログラムデータが存在するか否かをチェックする第２の過程と、前記同一な種類の広域放送プログラムデータが存在しなければ、前記種類の地域放送プログラムデータを表示する第３の過程と、を含むことを特徴とする。
【発明の効果】
【００１６】
前述したように本発明は、特定で一定な地域のみに該当する情報をその地域内に位置するＤＭＢ加入者のみにサービスすることで、サービス内容をさらに使用者ひとりひとりにあうように最適化することができるし、それによってＤＭＢ端末機の利用效率性が高くなることができる。また、使用者は適切で有用な情報を取得することができる長所がある。固定型ＤＴＶの場合もその地域に特化されたデータ放送を受信することができるし、放送局では現在アナログ放送のように別途の電波を該当する地域の中継器のみに送信して地域特化情報を送ることができた既存放送に比較して、データチャンネル一つで特化放送が可能であり、放送チャンネル、送信、中継などの效率性を向上することができる。その他にも本発明による付加価置の創出は、実におびただしいものとして予想される。例えば、新しい広告市場の発掘がなされることができるし、地域のみの独特な文化創造など多くの方面で応用可能である。
【発明を実施するための最良の形態】
【００１７】
以下、本発明の好適な実施形態について添付図を参照しつつ詳細に説明する。まず各図の構成要素らに参照符号を付けるにおいて、同一な構成要素及び部分には、可能な限り同一な符号及び番号を共通使用するものとする。下記説明ではパケット識別子の具体的な値ら、表示される情報の内容などのような多くの特定事項らが示されているが、これは本発明のより全般的な理解を助けるために提供されたものだけであり、このような特定事項らがなくても、本発明が実施されることができることは、この技術分野で通常の知識を有した者には自明である。下記説明において、本発明の要旨のみを明瞭にするために公知の機能又は構成に対する詳細な説明は省略する。
【００１８】
図１Ａは本発明の好適な実施形態によって地域情報が含まれた送信データストリームを構成するための第１装置を示す図である。
パケット化器１０はプログラム指定情報（Program Specific Information:以下、ＰＳＩと称する）をそれぞれパケットと呼ばれる適当な長さのビット列（Packetized Elementary Stream:ＰＥＳ)で分割する。パケット多重化器２０は前記ＰＥＳパケットらを一つのビット列に多重化して送信ストリーム(Transport Stream:ＴＳ)パケットを作る。前記作られた送信ストリームパケットは拡散変調器３０に入力されて拡散コードＷ１によって拡散変造される。前記拡散コードは、各チャンネルごとに割り当てられているコードであり、ウォルッシュコードが使用される。本実施例でＰＳＩは共通チャンネルを通じて送信され、Ｗ１は共通チャンネルを示す。一方、共通チャンネルを通じて送信されるＰＳＩに対しては後に詳細に説明される。
【００１９】
地域放送プログラムと広域放送プログラムとは音声データ、映像データ及び文字データらのうちから少なくとも一種類のデータで構成され、各データらはそれぞれの圧縮アルゴリズムを利用して圧縮される。パケット化器ら１２、１４、１６、１８は前記圧縮された音声、映像及び文字データをそれぞれパケットと呼ばれる適当な長さのビット列（ＰＥＳ)で分割する。ここで、地域放送プログラムは特定地域に対して特化された情報を意味し、例えば該当する地域の交通状況、気象状況、緊急な災難状況、地域ニュース、特定地域に対して特化されたサービス、または広告放送など、を含むことができる。広域放送プログラムは広域放送地域全体の受信機らに提供するための放送である。
【００２０】
前記ＰＥＳパケットは多様な応用に対応するように長さの上限を６４ＫＢまでにしているし、各パケットごとに固定長や可変長さのうちいずれをも取ることができるようにしている。また、可変伝送速度も許容されているし、不連続的な送信も可能である。
【００２１】
パケット多重化器ら２１、２３、２５、２７は前記ＰＥＳパケットらを一つのビット列に多重化して送信ストリームパケットを作る。本明細書で移動マルチメディア放送システムは、ＭＰＥＧ２＿ＴＳ(Moving Picture Experts Group２_Transport Stream)標準規格によって音声、映像及び文字データを多重化して送る場合を仮定して説明する。しかし、複数のプログラムを一つのビット列で多重化することができる他の多重化方式にも本発明が適用されることができることを留意しなければならない。
【００２２】
複数の送信ストリームパケットらに含まれたプログラムらは、それぞれ拡散変調器ら３２、３４、３６、３８に入力される。前記拡散変調器ら３２、３４、３６、３８は前記プログラムらをお互いに異なる拡散コードらＷ２、Ｗ３、．．．、Ｗｎによって拡散変造する。前記拡散コードは各チャンネルごとに割り当てられているコードであり、ウォルッシュコードが使用される。本発明の明細書では符号分割多重方式(Code Division Multiplexing:ＣＤＭ)を使用してチャンネルが区分される場合を仮定して説明されるが、直交周波数分割多重方式(Orthogonal Frequency Division Multiplexing:ＯＦＤＭ)などの、他の変造方式の場合にも適用されることができることを留意しなければならない。
【００２３】
合成器４５は前記各拡散変調器らで拡散変造された送信ストリームパケットらを１系統の符号分割多重放送信号として合算する。変造部５５は前記符号分割多重放送信号をＱＰＳＫ(Quadrature Phase Shift Keying)、またはＱＡＭ(Quadrature Amplitude Modulation)方式などのデジタル変造方式によって変調する。送信部６５は変調された放送信号を無線送信のための周波数に変換及び送信電力レベルに増幅した後、アンテナを通じて送信する。
【００２４】
図１Ａに示されたところによると、送信される広域放送プログラムらが多数存在する。しかし、本発明はそれらのうちから地域放送プログラムと係わる一つの広域放送プログラムのみを考慮する。言い替えれば、二つのパケット化器ら１６、１８を通じた各広域放送プログラムの送信例は二つのチャンネルに分けて送る場合と、単一チャンネルを通じて送る場合を示しただけであり、本発明の核心事項ではないので、以下の説明では言及しないことを明らかにしておく。
【００２５】
図１Ｂは本発明の好適な実施形態によって地域情報が含まれた送信データストリームを構成するための第２の装置を示す図である。
ＰＳＩを送信するための共通チャンネルを別に有しないで、地域放送、あるいは広域放送プログラムが送信される放送データチャンネルを通じて送るという点で、前述した図１Ａと異なるだけであり、残りの構成は同一である。
【００２６】
図２は本発明の好適な実施形態による一チャンネルの送信ストリームの構造を示す図である。
送信ストリームは複数の送信ストリームパケット(ＴＳ packet)で構成される。各送信ストリームパケットは１８８バイト(byte)の固定長パケットであり、その長さはＡＴＭ(Asynchronous Transfer Mode)セル長さとの整合性及びリードソロモン符号などの誤り訂正コード(ＥＣＣ)化を行う場合の適用性を考慮して決定された。送信ストリームパケットは４バイト固定長のパケットヘッダー(header)と可変長のアダプテーションフィールド(adaptation field)及びペイロード（Payload)で構成される。パケットヘッダーには全体ストリームを構成するプログラム情報、プログラムの時間情報及び全体システムを制御するための制御情報などが含まれて、特にパケット識別子（Packet Identification:ＰＩＤ)が定義されている。前記ＰＩＤは、該当する送信ストリームパケットのデータが生成された放送局、プログラムの種類(音声データであるか、映像データであるかなどの送信ストリームパケットの種類)を示すために使用される。アダプテーションフィールドとペイロードはいずれか一つのみに存在する場合と、両方すべてが存在する場合があって、その有無はパケットヘッダー内のフラグ(adaptation_field_control:ＡＤ＿Ｆｌａｇ)によって示される。特に、本発明の一実施例と係わって前記ＡＤ＿Ｆｌａｇはアダプテーションフィールドの所定領域に地域識別コードを含む場合１に設定される。
【００２７】
図３は本発明の好適な実施形態によるデジタルマルチメディア放送受信機を示すブロック図である。
受信部２１０はデジタルマルチメディア放送チャンネル信号を受信して、低雑音増幅した後、中間周波信号で周波数変換する。復調部２１５は放送チャンネル信号らを復調して使用者によって選択されたチャンネルに対応する拡散コードによってスペクトラム逆拡散する。前記チャンネルの選択は使用者がキー入力部２５５を操作して所望のチャンネル番号を入力する動作によって遂行される。前記復調部２１５から出力される送信パケットらは選択チャンネルの送信ストリームになる。特に、本発明と係わって前記復調部２１５は使用者によって選択された広域放送チャンネルと、地域放送チャンネルに対応する拡散コードらを制御部２６０と、から提供される。
【００２８】
順方向エラー訂正部(Forward Error Correction:ＦＥＣ)は雑音や干渉によって送信中に発生されたエラーを訂正復号する。
逆多重化部２２５は制御部２６０からＰＩＤを提供されて、前記ＰＩＤを利用して復号された送信ストリームから所望の送信ストリームパケットを抽出し、音声、映像及び文字データパケットを分離する。逆多重化部２２５から分離した音声、映像及び文字データパケットはそれぞれ音声デコーダー２４０、映像デコーダー２３０及び文字デコーダー２３５に入力される。音声デコーダー２４０は圧縮された音声データパケットを復号して示されなかったデジタル/アナログ変換器(Digital Analog Converter:Ｄ／Ａ Converter)によって、アナログ信号に変換した後、スピーカー２４５を通じて出力する。映像デコーダー２３０は圧縮された映像データパケットを復号して示されなかった映像処理器を通じて表示部２７０に好適な形式に変換した後、表示部２７０を通じて出力する。文字デコーダー２３５は圧縮された文字データパケットを復号して、映像デコーダー２３０から出力される映像データとともに表示部２７０を通じて出力する。
【００２９】
制御部２６０は受信機の全般的な動作を制御する。また、前記制御部２６０は使用者からのキー入力によって地域放送チャンネルの選択を制御し、下記メモリー２６５に保存された地域識別コードと受信される地域放送が一致するか否かを判断する。
【００３０】
メモリー２６５はロム（Read Only Memory)とラム（Random Access Memory)などで構成される。ロム（Read Only Memory)は各種制御機能を遂行するための制御プログラムと制御に必要なデータを保存する。特に、本発明の実施形態によってロム（Read Only Memory)は、地域識別コードを保存することもできる。地域識別コードは使用者によって入力されることもでき、または受信機の位置によって自動に設定されることもできる。この時、地域識別コードは郵便番号、電話地域識別番号または経度、緯度などの具体的な位置データなどになることができる。
【００３１】
図４Ａ及び図４Ｂは本発明の好適な実施形態による送信ストリームの構造を示す図であり、図４Ａは共通チャンネルを通じて送信されるＰＳＩの構造を示すものであり、図４Ｂは放送データチャンネルを通じて送信され、映像、音声、プログラムマップテーブル（Program Map Table:以下、ＰＭＴと称する)、そして、ザブタイトルなどを含む送信ストリームの構造を示す図である。
【００３２】
前述したように、送信ストリームは複数の送信ストリームパケットらで構成され、各送信ストリームパケットはヘッダー部分とペイロード部分とで構成される。前記ヘッダー部分はパケット識別子（PＩＤ)を含むが、本明細書では説明の便宜上、ヘッダー部分にパケット識別子のみを表示する。図４Ａに示されたプログラム連合テーブル（Program Association Table:以下、ＰＡＴと称する）、限定受信テーブル（Conditional Access Table:以下、ＣＡＴと称する）と、ネットワーク情報テーブル（Network Information Table:以下、ＮＩＴと称する）は図４Ｂに示されたＰＭＴとともにＰＳＩを構成する。ＰＳＩは受信機で送信ストリーム内にあるプログラムをデコーディングすることができるように、使用者が定義するプログラム情報を指称する。ＰＡＴとＰＭＴとはプログラムを構成している要素らに関する情報であり、ＮＩＴは送信ネットワークに対する規定値らに該当する。ＣＡＴは限定受信が必要な場合にスク ランブルに係わる。本実施例ではＰＭＴを除いたＰＳＩは共通チャンネルに送信され、ＰＭＴは放送データチャンネルを通じて送信される場合を仮定して説明される。
【００３３】
図４Ａを参照すると、ＰＳＩに含まれたＰＡＴは通常的にＰＩＤが‘０’に定義され、これは受信側端末機でもあらかじめ分かっている。例示されたところによると、ＰＡＴは多数個の広域放送プログラムら（Prog１、Prog２、…、ProgＮ)及び地域情報プログラムら（Regional１、Regional２、…、RegionalＮ)に対応するＰＭＴのＰＩＤを有している。地域情報プログラムらは特定地域に対応してあらかじめ設定されているものである。例えば、地域情報プログラム１（Regional１)は韓国のソウル地域に係わる地域情報プログラム、地域情報プログラム２（Regional２)は韓国の済州島地域に係わる地域情報プログラムになることができる。または、地域をもうちょっと細分化するか、広域化して設定することも可能である。示されたところによると、地域情報プログラム１のＰＭＴがＰＩＤ=１７であるパケットに規定され、地域情報プログラム２のＰＭＴはＰＩＤ=３３、地域情報プログラムＮ（Regional Ｎ)のＰＭＴはＰＩＤ=Ｎｏ．ｙに設定されることとして仮定した状態である。
【００３４】
図４Ｂを参照すると、ＰＭＴには該当のプログラムに含まれる映像、音声、文字データパケットらのＰＩＤらが含まれる。示されたところによると、図４Ａに基づいて広域情報プログラム１（Prog１)のＰＭＴとしてＰＩＤ=１５であるパケットには映像、音声及びザブタイトルのＰＩＤら５１、６４、１０２が含まれる。ただし、ＰＩＤ=５１である映像パケット、ＰＩＤ=６４である音声パケットは示されているが、ＰＩＤ=１０２であるザブタイトルは示されていない。
【００３５】
同様に、図４Ａに基づいて地域情報プログラム１（Regional１)のＰＭＴとしてＰＩＤ=１７であるパケットには文字、ザブタイトル及び映像のＰＩＤら１０、１０１、２１が含まれる。
【００３６】
図５は本発明の好適な実施形態によるデジタルマルチメディア放送受信機で、地域情報を受信する方法を示す流れ図である。以下、図１Ａないし図４Ｂを参照して地域情報が所定の受信機らのみに送信される方法を説明する。
段階５０１で、制御部２６０はデジタルマルチメディア放送受信機が地域放送受信モードに設定されたか否かを検査する。使用者は地域情報を得ようとする場合、地域放送受信を許容するようにあらかじめ地域放送受信モードに設定することができる。地域放送受信モードで前記受信機が設定されたものとして判断されると、制御部２６０は段階５０３に進行する。
【００３７】
段階５０３で、逆多重化部２２５は共通情報チャンネルに送信される共通情報らのうちからＰＡＴを抽出して制御部２６０に提供する。段階５０５で制御部２６０は前記ＰＡＴを検査して現在の地域放送がサービス中であるか否かを判断する。すなわち、前記ＰＡＴに地域放送プログラムに対するＰＭＴのＰＩＤが設定されているか否かを検査する。この時、前述したところのように地域放送プログラムは、各地域別に対応してあらかじめ設定されていて、制御部２６０は前記ＰＡＴの地域放送プログラムを通じてどの地域の地域放送が現在サービス中であるかを判断することができる。現在にサービス中である地域放送が存在する場合には段階５０７に進行し、サービス中である地域放送がない場合には、段階５０１に進行して地域放送受信が要求されるか否かをずっと検査する。
【００３８】
段階５０７で、制御部２６０は現在にサービス中である地域放送プログラムらを表示部２７０に表示する。この時、地域放送プログラムの名称を表示することもでき、該当する地域のみを表示することもできる。また、現在にサービス中である地域放送プログラムらがすべて表示部２７０に表示されずに、現在デジタルマルチメディアの放送受信機が位置した地域に対応する、または使用者があらかじめ設定した地域に対応する地域放送プログラムのみが表示されるように変形することも可能である。ここで、デジタルマルチメディア放送受信機の位置情報は前記受信機で測定されるか、使用者によってあらかじめ設定されることができる。
【００３９】
段階５０９で、制御部２６０はキー入力部２５５を検査し、使用者から特定地域放送プログラムの選択を指示するキー入力を待機する。特定地域放送プログラムが選択されると、制御部２６０は段階５１１に進行する。前記段階５１１で制御部２６０は使用者によって選択された地域放送プログラムが放送されるチャンネルを選択して受信するように復調部２１５を制御し、逆多重化部２２５は前記復調部２１５から受信された送信ストリームを、順方向エラー訂正部２２０を通じて入力された後、ＰＡＴから選択された地域放送のＰＭＴを抽出して制御部２６０に提供する。制御部２６０は前記ＰＭＴから地域放送プログラムを構成する映像、音声及び文字データパケットのＰＩＤを抽出して逆多重化部２２５に提供する。段階５１３で逆多重化部２２５は制御部２６０から受信した前記ＰＩＤに該当する送信ストリームパケットを分離し、該当するデコーダーに提供する。
【００４０】
段階５１５で、制御部２６０は、地域放送プログラムの表示形態を決めるために現在使用者が広域放送プログラムを視聴中であるか否かを判断する。広域放送を視聴中である場合には、段階５１７に進行して地域放送プログラムと広域放送プログラムとを構成するデータの種類を検査する。すなわち、各プログラムが映像、音声及び文字データのうち、どの種類のデータを含んでいるか否かを検査する。段階５１９では前記段階５１７の検査結果によって、地域放送プログラムの表示形態を決める。段階５２１で制御部２６０は前記決定された表示形態によって各デコーダーらを制御して送信ストリームパケットデータらの圧縮を解除した後、表示部２７０とスピーカー２４５を通じて出力して作業を終了する。ここで、前記広域放送プログラムの視聴可否を判断する段階は段階５０１以前や以後、またはその他の段階で遂行されるように手順を変更することも可能であることを留意しなければならない。
一方、前記段階５１５で、広域放送を視聴中ではない場合には段階５２１に進行して地域放送プログラムをそのまま表示して作業を終了する。
【００４１】
本発明の好適な実施形態では、地域放送プログラムの出力形態が現在に広域放送プログラムを受信中であるか否かと、その種類によって決まることとして仮定した。映像チャンネルの広域放送視聴中に文字データのみを含む地域放送プログラムが受信される場合には、地域放送の文字データをスライディング字幕処理で表示し、使用者の便宜性を高めることができる。また、地域放送プログラムが停止画面の映像データを含んだ場合には、広域放送プログラム表示画面中に地域放送プログラム画面を表示してくれるＰＩＰ（Picture In Picture)方式で具現するか、デジタルマルチメディア放送受信機の表示部２７０が２個である場合には、それぞれ異なる放送プログラムを表示するように具現することができる。一方、音声チャンネルの広域放送視聴中には停止画面と文字データとで構成される地域放送を表示部２７０に表示するように具現することができる。また、地域放送が停止画面の映像データと文字データとを含んだ場合には、使用者の選択によって電源消費が多い停止画面を表示せずに、文字データのみを処理して表示することができる。この時、文字データは広域放送プログラムの種類によって表示部２７０の画面全体に表示するか、下部分にスライディング方式で表示することも可能である。地域放送プログラムの表示形態に対しては後に詳細に説明される。
【００４２】
一方、受信機は地域放送プログラムを緊急情報サービスとして利用する場合にはずっと放送されるものではなくて、通常的に文字データのみで構成されてデータ量が極めて少ないものであるので、地域放送プログラムを受信して時間、地域識別子、情報の内容表示(例えば、交通、広告、気象など)とともに別途のメモリーに保存して、使用者の要求がある時に該当する地域情報を時間(一日単位など)、または地域別にまとめて見られるように構成することも可能である。
【００４３】
図６は本発明の好適な実施形態による送信ストリームの他の構造を示す図である。前記図４Ａ及び図４Ｂとは異なり、図６はＰＡＴが地域、あるいは広域プログラムとともに放送データチャンネルを通じて送信される場合を仮定して示した。しかし、前記図４Ａ及び図４Ｂのようにチャンネルを分離して送信されるようにすることもできることは勿論である。
【００４４】
他の側面で、図６の送信ストリームが図４Ａ及び図４Ｂと異なる特徴は、ＰＡＴで地域放送プログラムらが特定地域とあらかじめ対応して設定されていないという点である。図６でＰＡＴはＮ個の広域放送プログラムらと、１個の地域放送プログラムに対するＰＭＴのＰＩＤ情報と、を含んでいる。しかし、前記地域放送プログラムは特定地域とあらかじめ対応して設定されているものではないから、受信機がＰＡＴを受信してこれを分析して見た時、地域放送プログラムが存在するか否かのみを分かることができるだけであり、どの地域に対するプログラムであるか、具体的な情報を得ることはできない。本実施例では、１個の地域放送プログラムに対するＰＭＴのＰＩＤのみがＰＡＴに含まれている場合を仮定して説明されるが、ＰＡＴに複数の地域放送プログラムに対するＰＭＴのＰＩＤらが含まれることも可能であることを留意しなければならない。
【００４５】
示されたところによると、地域放送プログラムのＰＭＴであるＰＩＤ=１７である送信ストリームパケットのヘッダー部はＡＤ＿Ｆｌａｇが１に設定され、アダプテーションフィールドが存在する。アダプテーションフィールドには、所定の領域に前記地域放送プログラムの地域識別コードが含まれる。ここで、前記所定の領域はプライベートフィールドであることとして仮定する。地域識別コードは郵便番号、電話地域識別番号(例:“０５１“が韓国の釜山地域放送を示す場合)、または経度や緯度などの具体的な位置になることができる。
【００４６】
図７は本発明の好適な実施形態によるデジタルマルチメディア放送受信機で地域情報を受信する他の方法を示す流れ図である。図６と図７を参照して、地域情報を所定の受信機らのみに送る方法が説明される。
本実施例では使用者が広域放送プログラムを視聴している場合を仮定して、地域放送を受信するために遂行される過程が説明される。段階７０１でデジタルマルチメディア放送受信機は、受信部２１０と復調部２１５を通じて使用者によって要求される広域放送チャンネルの信号を受信して、エラー訂正部２２０で送信上のエラーを訂正して送信ストリームを出力する。逆多重化部２２５は放送データチャンネルに受信されるＰＡＴを利用して、使用者が視聴を要求するプログラムのＰＭＴを抽出して制御部２６０に提供する。制御部２６０は前記ＰＭＴから視聴が要求されるプログラムの映像、音声及び文字データのＰＩＤを求めて、前記ＰＩＤを逆多重化部２２５に提供する。逆多重化部２２５は制御部２６０から受信した前記ＰＩＤに該当する送信ストリームパケットを分離してそれぞれのデコーダーに提供する。各デコーダーは入力されるデータの圧縮を解除した後、表示部２７０とスピーカー２４５を通じて出力する。使用者は前記受信機を通じて広域放送を視聴する状態になる。
【００４７】
段階７０３で制御部２６０は前記受信機が地域放送受信モードに設定されたか否を検査する。使用者は地域情報を得ようとする場合、地域放送受信を許容するようにあらかじめ地域放送受信モードに設定することができる。地域放送受信モードで前記受信機が設定されたこととして判断されると、制御部２６０は段階７０５に進行する。
【００４８】
段階７０５で制御部２６０は放送データチャンネルに送信される送信ストリームパケットらのうちからＰＡＴを抽出して、段階７０７に進行する。前記段階７０７で制御部２６０は前記ＰＡＴを検査して、現在サービス中である地域放送が存在するか否かを判断する。すなわち、前記ＰＡＴに地域放送プログラムに対するＰＭＴのＰＩＤが設定されているか否かを検査する。この時、前述したところのように制御部２６０はＰＡＴからは現在サービス中である地域放送プログラムが存在するという事実のみを分かって、どの地域に該当する放送であるか否かは、ＰＭＴ送信ストリームパケットを参照すると分かるようになる。本実施例では、現在サービス中である地域放送プログラムが１個である場合を仮定して説明されるが、複数の地域放送プログラムがサービス中である場合にも本発明が適用可能であることを留意しなければならない。この時は、複数の地域放送プログラムに対するＰＭＴらのＰＩＤらがＰＡＴに設定されなければならない。現在サービス中である地域放送が存在する場合には、段階７０９に進行し、サービス中である地域放送がない場合には、段階７１７に進行して現在サービス中である地域放送が存在しないことを表示する。ここで、前記段階７１７は省略が可能である。
【００４９】
段階７０９で逆多重化部２２５は前記ＰＡＴから地域放送プログラムのＰＭＴを獲得して制御部２６０に提供した後、段階７１１に進行する。段階７１１で制御部２６０はＰＭＴのＡＤ＿Ｆｌａｇを検査し、１に設定された場合アダプテーションフィールドを検査して地域識別コードを抽出する。前記地域識別コードは、メモリー２６５に記憶されている地域識別コードと比較されて、一致する場合に段階７１３に進行し、一致しない場合は段階７１７に進行する。
【００５０】
段階７１３で制御部２６０は、前記ＰＭＴから地域放送プログラムの送信ストリームパケットのＰＩＤを抽出して逆多重化部２２５に提供する。逆多重化部２２５は制御部２６０から受信した前記ＰＩＤらに該当する送信ストリームパケットを分離して、該当するデコーダーに提供する。各デコーダーらは入力される送信ストリームパケットデータらの圧縮を解除した後、段階７１５で表示部２７０とスピーカー２４５とを通じて出力して作業を終了する。前述した図５で説明したように、地域放送は現在視聴中である広域放送プログラムと地域放送プログラムとの種類によって多様な方法で表示部２７０とスピーカー２４５とを通じて出力されることができる。
【００５１】
図８は、本発明の好適な実施形態によってデジタルマルチメディア放送受信機に地域放送プログラムを表示する方法を示す流れ図である。前述したところのように、地域放送プログラムは映像、音声及び文字データのうちから少なくとも一種類以上のデータを含む。前記図８は地域放送プログラムが映像、音声及び文字データのうちから少なくとも文字データを含む場合に対するものである。
【００５２】
前記段階８０１で、制御部２６０は地域放送プログラムのＰＭＴから前記地域放送プログラムに含まれたデータの種類を検査する。段階８０３で前記制御部２６０は前記検査結果から地域放送プログラムに映像データが存在するか否かを判断して、存在する場合は段階８０５に進行し、存在しない場合には段階８０９に進行する。段階８０５で制御部２６０は現在視聴中である広域放送プログラムのうちで映像データが存在するか否かを検査する。広域放送プログラムの映像データが存在する場合には段階８０９に進行し、存在しない場合には段階８０７に進行する。段階８０７で、制御部２６０は逆多重化部２２５と映像デコーダー２３０を制御して地域放送の映像データが表示部２７０を通じて出力されるようにする。
【００５３】
段階８０９で制御部２６０は前記段階８０１の検査結果から地域放送プログラムに音声データが存在するか否かを判断する。音声データが存在する場合には段階８１１に進行し、現在視聴中である広域放送プログラムのうちで音声データが含まれているか否かを検査する。広域放送プログラムの音声データが存在しない場合には段階８１３に進行して地域放送プログラムの音声データを表示する。一方、前記段階８０９で地域放送プログラムに音声データが存在しないか、前記段階８１１で広域放送プログラムの音声データが存在しない場合には段階８１５に進行する。
【００５４】
段階８１５で、制御部２６０は前記段階８０１の検査結果から地域放送プログラムに文字データが存在するか否かを判断する。文字データが存在する場合には段階８１７に進行し、文字データが存在しない場合には前記過程を完了する。前述したところのように本実施例では、地域放送プログラムが少なくとも文字データを含む場合を仮定したために、制御部２６０は段階８１７に進行する。前記段階８１７で制御部２６０は広域放送プログラムのうちに文字データが存在するか否かを判断し、存在しない場合には段階８２１に進行し、地域放送の文字データを表示した後、作業を終了する。しかし、前記段階８１７で広域放送プログラムのうちで文字データが存在する場合には段階８１９に進行し、地域放送プログラムの映像や音声データが現在の表示部２７０やスピーカー２４５を通じて出力されているか否かを判断する。これは地域放送プログラムの映像や音声データが存在しないか、存在しても広域放送プログラムのために表示されることができない場合に、広域放送プログラムのうちに文字データが表示部２７０を通じて出力されていても、少なくとも地域放送プログラムの文字データのみでも表示されることができるようにするためである。
【００５５】
前記段階８１９で制御部２６０は地域放送プログラムのデータのうちで表示されているデータがないものとして判断される場合、段階８２１に進行して地域放送プログラムの文字データを、表示部２７０を通じて表示する。この時、広域放送プログラムの文字データは表示されないか、地域放送プログラムの文字データとともに表示されることができる。しかし、地域放送プログラムの映像や音声データが現在表示中である場合には、文字データを表示しないで作業を終了する。
【００５６】
以上、本発明の詳細について具体的な実施形態に基づき説明してきたが、本発明の範囲を逸脱しない限り、各種の変形が可能なのは明らかである。本発明は移動可能な端末機だけでなく、データサービス(data service)が可能な固定型、移動型デジタルテレビ(Digital ＴＶ:ＤＴＶ)などにも応用することができる。従って、本発明の範囲は、上記実施形態に限るものでなく、特許請求の範囲のみならず、その範囲と均等なものにより定められるべきである。
【図面の簡単な説明】
【００５７】
【図１Ａ】本発明の好適な実施形態によって地域情報が含まれた送信データストリームを構成するための第１の装置を示す図。
【図１Ｂ】本発明の好適な実施形態によって地域情報が含まれた送信データストリームを構成するための第２の装置を示す図。
【図２】本発明の好適な実施形態による一チャンネルの送信ストリームの構造を示す図。
【図３】本発明の好適な実施形態によるデジタルマルチメディア放送受信機を示すブロック図。
【図４Ａ】本発明の好適な実施形態による送信ストリームの構造を示す図。
【図４Ｂ】本発明の好適な実施形態による送信ストリームの構造を示す図。
【図５】本発明の好適な実施形態によるデジタルマルチメディア放送受信機で地域情報を受信する方法を示す流れ図。
【図６】本発明の好適な実施形態による送信ストリームの他の構造を示す図。
【図７】本発明の好適な実施形態によるデジタルマルチメディア放送受信機で地域情報を受信する他の方法を示す流れ図。
【図８】本発明の好適な実施形態によってデジタルマルチメディア放送受信機に地域放送プログラムを表示する方法を示す流れ図。
【符号の説明】
【００５８】
１０、１２、１４、１６、１８      パケット化器
２０      パケット多重化器
３０、３２、３４、３６、３８      拡散変調器
４５      合成器
５５      変造器
６５      送信部
２１０    受信部
２１５    復調部
２２５    キー入力部
２３０    映像デコーダー
２３５    文字デコーダー
２４０    音声デコーダー
２４５    スピーカー
２６０    制御部
２６５    メモリー
２７０    表示部
【図１Ａ】
2005102174.tif 000003
【図１Ｂ】
2005102174.tif 000004
【図２】
2005102174.tif 000005
【図３】
2005102174.tif 000006
【図４Ａ】
2005102174.tif 000007
【図４Ｂ】
2005102174.tif 000008
【図５】
2005102174.tif 000009
【図６】
2005102174.tif 000010
【図７】
2005102174.tif 000011
【図８】
2005102174.tif 000012